(57)【要約】      （修正有）【課題】着衣の好みの位置に簡単に着脱自在に取り付けができ、携帯品の振れ止め保持を可能とする保持具を提供する。【解決手段】着衣の布地Aの表側に位置される表側体本体と、この表面に設けられたループ面ファスナ１１を設けたフック面ファスナ３と、表側体本体の内側に凹み形成される表側体布地係止部５と、フック面ファスナ３から外れた表側体本体の部位の全周に、携帯電話機Bをフック面ファスナ３に保持した状態で指で抑えて該Bを不具合無く簡単に剥がし外すことができるようにするための指抑え部１０と、布地Aの内側に位置される内側体本体と、この内側体本体に設けられた、表側体布地係止部５に嵌って布地Aを嵌り挟みつけ、着衣の布地A上に内側体本体と表側体本体を保持し、凸部４の内側に形成される溝７に嵌る内側体本体の外全周に凸形成された内側体布地係止部８と、内側体本体の中央に空けられた指を掛けるための指掛口９とからる。【選択図】図２
2008017893.tif 000002
【特許請求の範囲】
【請求項１】
着衣の布地の表側に位置される表側体本体、この表側体本体に設けられた携帯電話などの携帯品を着脱自在に保持するための面ファスナ、フック、ケース、磁石などの携帯品着脱保持部、前記表側体本体に設けられた表側体布地係止部とからなる表側体と、
布地の内側に位置される内側体本体、この内側体本体に設けられた、前記表側布地係止部と着衣の布地を挟みつけるなどの係わり形態によって、着衣の布地上に該内側体本体と前記表側体を一体的に保持する内側体布地係止部とからなる内側体と、
とからなることを特徴とする携帯品の振れ止め保持具。
【請求項２】
携帯品着脱保持部から外れた表側体部位の全周ないし一部に、携帯電話を該携帯品着脱保持部に保持した状態で指で抑えることができる指抑え部を設けてなることを特徴とする請求項１記載の携帯品振れ止め保持具。
【請求項３】
着衣の布地の表側に位置されるプレート形態の表側体本体、この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置されるプレート形態の内側体本体、この内側体本体に設けられた、前記表側体布地左側係止部と着衣の布地を挟みつけるなどの係わり形態によって、着衣の布地上に該内側体本体と前記表側体を一体的に保持する内側体布地左側係止部、前記表側体布地右側係止部と着衣の布地を挟みつけるなどの係わり形態によって、着衣の布地上に該内側体本体と前記表側体を一体的に保持する内側体布地右側係止部とからなる内側体と、
とからなることを特徴とする携帯品の振れ止め保持具。
【請求項４】
着衣の布地の表側に位置されるプレート形態の表側体本体と、
この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置される左内側体本体、布地の内側に位置される右内側体本体、前記左内側体本体に設けられた、前記表側体布地左側係止部と着衣の布地を挟みつけるなどの係わり形態によって、着衣の布地上に該左内側体本体と前記表側体を一体的に保持する内側体布地左側係止部、前記右内側体本体に設けられた、前記表側体布地右側係止部と着衣の布地を挟みつけるなどの係わり形態によって、着衣の布地上に該右内側体本体と前記表側体を一体的に保持する内側体布地右側係止部とからなる内側体と、
とからなることを特徴とする携帯品の振れ止め保持具。
【請求項５】
携帯品着脱保持部が面ファスナであることを特徴とする請求項１〜４いずれか記載の携帯品振れ止め保持具。
【請求項６】
内側体が表側体から外れても該内側体が着衣から落下しないようにするための紐とクリップの組合せ、紐とボタン掛け部材の組合せ、紐と安全ピンの組合せ、ボタン部位に掛けるループ紐などからなる落下防止手段を該内側体に設けてなることを特徴とする請求項１〜５いずれか記載の携帯品振れ止め保持具。
【発明の詳細な説明】
【技術分野】
【０００１】
本発明は、主にネックストラップなどにより下げた携帯電話を着衣の好みの位置に着脱自在に保持して振れない携行を可能とする携帯品の振れ止め保持具。
【背景技術】
【０００２】
（３）しかるに、着衣に携帯品を着脱自在に保持することを可能とする技術として例えば特許文献１（特開平１０−３０４０３８号公報）、特許文献２（実登３０５９６８９号公報）、特許文献３（特開２００３−３１９０４６号公報）、特許文献４（特開平１１−２４４００５号公報）、特許文献５（公開実用平成３−１０６９１５号公報）がある。
{特許文献１}（特開平１０−３０４０３８号公報）
（１）図３、図４に、大きくても約３ｃｍ四方形態の第１のクリップ板と、大きくても３ｃｍ四方形態の第２のクリップ板と、第１のクリップ板の表側にクリップ側面ファスナを設けてなるクリップが開示されている。その使用形態は、携帯電話の裏側に携帯品側面ファスナを設け、両面ファスナによりクリップを携帯電話の裏側の最適な位置に係着させ、着衣の胸ポケットないし下ポケット、鞄などの内側に携帯電話を入れそれらの縁をクリップで挟持して、ポケット等の内側に携帯電話を保持するというものである。（２）図１、図２、図６に、幅広の短い第１のクリップ
板と、長物（８０ｍｍ〜１００ｍｍくらいと思われる。）の二股形態の第２のクリップ板（軸）となるクリップが開示されている。その使用形態は、第２のクリップ板を取り付けて移動させてクリップの高さ位置を調節する軸受けを携帯電話に取り付け、着衣の胸ポケットないし下ポケット、鞄などの内側に携帯電話を入れそれらの縁をクリップで挟持して、ポケット等の内側に携帯電話を吊り保持するというものである。
{特許文献２}（実登３０５９６８９号公報）
図６に幅１０ｍｍ〜１５ｍｍ程度、長さ５０ｍｍ〜６０ｍｍ程度の長方形板からなる長挟持部材と、この長挟持部材に閉じ付勢状態に取り付けられた、該長挟持部材より短く且つ中ほどが持ち上がり先方で挟持する形態の短挟持部材と、長挟持部材の表面に設けられた面ファスナとからなるクリップ側面ファスナを設けてなるクリップが開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献３}（特開２００３−３１９０４６号公報）
幅約３０ｍｍ、長さ約６０ｍｍ程度の長方形のプレートと、このプレートの上方端方に設けられた一対の短い挟持部材からなるクリップと、このクリップの反対側となるプレート面に設けられたクリップ側面ファスナとかなるクリップ装置が開示されている。その使用形態は、携帯電話側面ファスナを設けた携帯電話にクリップ側面ファスナを係着させて取り付け、着衣の胸ポケットを入れそれらの縁をクリップで挟持して、ポケット等の内側に携帯電話を吊り保持するというものである。
{特許文献４}（特開平１１−２４４００５号公報）
ネクタイを振れを抑えるようにするための技術であって、幅４ｃｍ程度、高さ５ｃｍ程度の布生地の上方にワイシャツのボタンを通し出すボタンホールを設け、布生地の表面に面ファスナを設けてなるネクタイの振れ止め具が開示されている。その使用形態は、ネクタイ側にも面ファスナを設け面ファスナ同士を係着させてネクタイを振れを抑えるように係止するというものである。
{特許文献５}（公開実用平成３−１０６９１５号公報）
ネクタイを振れを抑えるようにするための技術であって、幅４ｃｍ程度、高さ２ｃｍ程度の一枚の板材からなるクリップであって、板材の内側に３辺を切り離す切り溝を形成して内側挟持片と外側挟持片を形成し、その内側挟持片の表側に面ファスナを設けてなるクリップが開示されている。その使用形態は、ネクタイ側にも面ファスナを設け面ファスナ同士を係着させてネクタイの振れを抑えるように係止するというものである。
【０００３】
【特許文献１】特開平１０−３０４０３８号公報
【特許文献２】実登３０５９６８９号公報
【特許文献３】特開２００３−３１９０４６号公報
【特許文献４】特開平１１−２４４００５号公報
【特許文献５】公開実用平成３−１０６９１５号公報
【非特許文献１】特になし
【発明の開示】
【発明が解決しようとする課題】
【０００４】
（１）  特許文献１〜５のいずれの発明も、クリップにより着衣の係止する形態であるために、快適な携帯品の触れ止め保持を実現するためには、その取り付け部位が前立て部位かポケット部位に限られてしまうものであり、前立て部位やポケットの無いＴシャツでは使用でき難い、着衣の好みの部位に取り付けることができ難いという欠点を有するものであった。
（２）  また、安全ピンやクリップによる布地の係止は、その係止部位が狭いピンポイント係止であるため、携帯電話を保持した状態での振れが大きいく激しい、振れの影響がピンポイントによる布地の狭い部分に集中して、布地を傷めやすいという欠点を有するものであった。
【０００５】
本発明は以上のような従来技術の欠点に鑑み、着衣の好みの位置に簡単に着脱自在に取り付けることができ、且つ、快適な携帯品の触れ止め保持を可能とする携帯品の振れ止め保持具を提供することを目的としている。
また本発明の他の目的は、着衣の好みの位置に簡単に着脱自在に取り付けることができ、且つ、快適な携帯品の触れ止め保持を可能とするとともに、布地の係止が布地を傷めない係止形態を実現した携帯品の振れ止め保持具を提供することを目的としている。
【０００６】
本発明の前記ならびのそのほかの目的と新規な特徴は次の説明を添付図面と照らし合わせて読むと、より完全に明らかになるであろう。
ただし、図面はもっぱら解説のためであって、本発明の技術的範囲を限定するものではない。
【課題を解決するための手段】
【０００７】
上記目的を達成するために、本発明は次のような構成となっている。
＜請求項１記載の発明＞
着衣の布地の表側に位置される表側体本体、この表側体本体に設けられた携帯電話などの携帯品を着脱自在に保持するための面ファスナ、フック、ケース、磁石などの携帯品着脱保持部、前記表側体本体に設けられた表側体布地係止部とからなる表側体と、
布地の内側に位置される内側体本体、この内側体本体に設けられた、前記表側布地係止部と着衣の布地を挟みつけるなどの係わり形態によって、着衣の布地上に該内側体本体と前記表側体を一体的に保持する内側体布地係止部とからなる内側体と、
とで携帯品振れ止め保持具を構成している。
「係わり形態」とは、表側体に内側体が布地を挟んで嵌る形態、表側体と内側体が両方あるいはいずれかに設けられた磁石の磁着力により布地を挟持する形態、表側体と内側体を布地ごとゴム輪などの連結係止部材により連結部材により連結する形態など多様な形態がる。
＜請求項２記載の発明＞
請求項１記載の発明の構成において、携帯品着脱保持部から外れた表側体部位の全周ないし一部に、携帯電話を該携帯品着脱保持部に保持した状態で指で抑えることができる指抑え部を設けてなる携帯品振れ止め保持具を構成している。
＜請求項３記載の発明＞
着衣の布地の表側に位置されるプレート形態の表側体本体、この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置されるプレート形態の内側体本体、この内側体本体に設けられた、前記表側体布地左側係止部と着衣の布地を挟みつけるなどの係わり形態によって、着衣の布地上に該内側体本体と前記表側体を一体的に保持する内側体布地左側係止部、前記表側体布地右側係止部と着衣の布地を挟みつけるなどの係わり形態によって、着衣の布地上に該内側体本体と前記表側体を一体的に保持する内側体布地右側係止部とからなる内側体と、
とで携帯品の振れ止め保持具を構成している。
＜請求項４記載の発明＞
着衣の布地の表側に位置されるプレート形態の表側体本体と、
この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置される左内側体本体、布地の内側に位置される右内側体本体、前記左内側体本体に設けられた、前記表側体布地左側係止部と着衣の布地を挟みつけるなどの係わり形態によって、着衣の布地上に該左内側体本体と前記表側体を一体的に保持する内側体布地左側係止部、前記右内側体本体に設けられた、前記表側体布地右側係止部と着衣の布地を挟みつけるなどの係わり形態によって、着衣の布地上に該右内側体本体と前記表側体を一体的に保持する内側体布地右側係止部とからなる内側体と、
とで携帯品の振れ止め保持具を構成している。
＜請求項５記載の発明＞
請求項１〜４記載の発明の構成において、携帯品着脱保持部が面ファスナである携帯品振れ止め保持具を構成している。
＜請求項６記載の発明＞
請求項１〜５いずれか記載の発明の構成において、内側体が表側体から外れても該内側体が着衣から落下しないようにするための紐とクリップの組合せ、紐とボタン掛け部材の組合せ、紐と安全ピンの組合せ、ボタン部位に掛けるループ紐などからなる落下防止手段を該内側体に設けてなるとで携帯品振れ止め保持具を構成している。
【発明の効果】
【０００８】
以上の説明から明らかなように、本発明にあっては次に列挙する効果が得られる。
＜請求項１記載の発明の効果＞
着衣の布地の表側に位置される表側体本体、この表側体本体に設けられた携帯電話などの携帯品を着脱自在に保持するための面ファスナ、フック、ケース、磁石などの携帯品着脱保持部、前記表側体本体に設けられた表側体布地係止部とからなる表側体と、
布地の内側に位置される内側体本体、この内側体本体に設けられた、前記表側布地係止部と着衣の布地を挟みつけるなどの係わり形態によって、着衣の布地上に該内側体本体と前記表側体を一体的に保持する内側体布地係止部とからなる内側体と、
とで携帯品振れ止め保持具を構成しているので、
（１）  表側体と内側体で布地を挟み付けるなどの係わり形態で、布地上に表側体と内側体を一体的に保持する形態であるので、取外しが簡単にできる形態で着衣の好みの部位に保持することができ、携帯電話を好みの位置に着脱自在に保持することを可能にするという効果を奏する。
（２）  布地を外側と内側から挟持等して係止する構成であるので、安全ピンやクリップによるピンポイント係止と違って、広い範囲で略均一に挟持等する形態により、強い引っ張り力などがあっても布地を傷めない係止形態を実現するという効果を奏する。
＜請求項２記載の発明の効果＞
請求項１記載の発明の構成において、携帯品着脱保持部から外れた表側体部位の全周ないし一部に、携帯電話を該携帯品着脱保持部に保持した状態で指で抑えることができる指抑え部を設けてなる携帯品振れ止め保持具を構成しているので、
請求項１記載の発明の効果に加えて、携帯電話を触れ止め保持具から外し操作では、指で指抑え部を抑えて剥がし外すことができ、布地を引っ張らない且つ表体と内側体が外れる力が生じない、より軽快な剥がし外し操作を実現するという効果を奏する。
＜請求項３記載の発明の効果＞
着衣の布地の表側に位置されるプレート形態の表側体本体、この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置されるプレート形態の内側体本体、この内側体本体に設けられた、前記表側体布地左側係止部と着衣の布地を挟みつけるなどの係わり形態によって、着衣の布地上に該内側体本体と前記表側体を一体的に保持する内側体布地左側係止部、前記表側体布地右側係止部と着衣の布地を挟みつけるなどの係わり形態によって、着衣の布地上に該内側体本体と前記表側体を一体的に保持する内側体布地右側係止部とからなる内側体と、
とで携帯品の振れ止め保持具を構成しているので、
前記請求項１、２いずれかに記載の発明と同様な効果を奏するとともに、保持する携帯電話の左右に表側体布地左側係止部および表側体布地右側係止部を設けた構成とすることにより、厚みを表側体のプレートと内側体のプレートの略厚さとできる。携帯電話を保持した状態において、身体に当る部位が厚みの無い形態であるので、突起当り感の無いないし少ない不快感の少ない携行を実現するという効果を奏する。
＜請求項４記載の発明の効果＞
着衣の布地の表側に位置されるプレート形態の表側体本体と、
この表側体本体の左右中央に設けられた携帯電話などの携帯品を着脱自在に保持するための面ファスナ、フック、ケース、磁石などの携帯品着脱保持部、前記表側体本体の左右に前記携帯品着脱保持手段に保持した携帯電話が間に入るように離して設けた表側体布地左側係止部、表側体布地右側係止部とからなる表側体と、
布地の内側に位置される左内側体本体、布地の内側に位置される右内側体本体、前記左内側体本体に設けられた、前記表側体布地左側係止部と着衣の布地を挟みつけるなどの係わり形態によって、着衣の布地上に該左内側体本体と前記表側体を一体的に保持する内側体布地左側係止部、前記右内側体本体に設けられた、前記表側体布地右側係止部と着衣の布地を挟みつけるなどの係わり形態によって、着衣の布地上に該右内側体本体と前記表側体を一体的に保持する内側体布地右側係止部とからなる内側体と、
とで携帯品の振れ止め保持具を構成しているので、
このような構成としても前記請求項４記載の発明と同様な効果を奏する。
＜請求項５記載の発明の効果＞
請求項１〜４いずれか記載の発明の構成において、携帯品着脱保持部が面ファスナである携帯品振れ止め保持具を構成しているので、
請求項１記載の発明と同様な効果を奏するとともに、面ファスナを設けた携帯電話の着脱操作が軽快且つ素早く行うことができるという効果を奏する。
＜請求項６記載の発明の効果＞
請求項１〜５いずれか記載の発明の構成において、内側体が表側体から外れても該内側体が着衣から落下しないようにするための紐とクリップの組合せ、紐とボタン掛け部材の組合せ、紐と安全ピンの組合せ、ボタン部位に掛けるループ紐などからなる落下防止手段を該内側体に設けてなるとで携帯品振れ止め保持具を構成しているので、
表側体と内側体が分離しても、内側体は着衣に繋がっている落下防止手段により地面に落ちることなく、身体側に常に係留されるので、地面への落下による拾い作業や、紛失の心配がないという効果を奏する。
【発明を実施するための最良の形態】
【０００９】
以下、図面に示す発明を実施するための最良の形態により、本発明を詳細に説明する。
【００１０】
＜第１の実施の形態＞
図１ないし図３に示す本発明を実施するための最良の第１の実施の形態において１は携帯品振れ止め保持具であって、
着衣の布地Aの表側に位置されるポリプロピレ、ポリエチレン、ナイロン、塩化ビニールなどの透明な合成樹脂製部材からなる表側体本体２と、
この表側体本体２の表面に設けられたループ面ファスナ１１を設けた携帯品である携帯電話機Bを着脱自在に保持するための携帯品着脱保持部（携帯品抜き落ち防止部）であるフック面ファスナ３と、
表側体本体２の内側に凹み形成されその内側中途に全周の凸部４を有してなる表側体布地係止部５と、
フック面ファスナ３から外れた表側体本体２の部位の全周に、携帯電話機Bをフック面ファスナ３に保持した状態で指で抑えて該Bを不具合無く簡単に剥がし外すことができるようにするためのる大鍔形態の指抑え部１０と、
以上のごとく構成されてなる表側体２１と、
布地Aの内側に位置されるポリプロピレ、ポリエチレン、ナイロン、塩化ビニールなどの合成樹脂製部材からなる内側体本体６と、
この内側体本体６に設けられた、表側体布地係止部５に嵌って該５とで布地Aを嵌り挟みつけて、着衣の布地A上に内側体本体６と表側体本体２を一体的に保持する、凸部４の内側に形成される溝７に嵌る内側体本体６の外全周に凸形成された小鍔形態の内側体布地係止部８と、
内側体本体６の中央に空けられた指を掛けるための指掛口９と、
以上のごとく構成されてなる内側体２２と、とからなっている。
また、内側体２２が表側体２１から外れても内側体２２が着衣から落下しないようにするための紐２３とクリップ２４の組合せからなる落下防止手段２５を内側体２２にあけた紐取付け穴２６に設けている。
指掛け部９は、表側体布地係止部５に内側体２２を表向きないし反対向きに嵌まり込んだ状態から、指を掛けて容易に引き出せるようにするためのものである。
布地Aを挟にだ状態からの表側体２１と内側体２２の分離は、表側体２１を一方の手で掴み他方の手で布地Aを引っ張ることにより、簡単に分離することができる。
表側体２１と内側体２２に挟まれた布地Aの挟まれ部分は、少し挟まれた形が浮き上がるように変形するが、時間がたてば殆ど分からなくなり、手で布地Aを軽く引っ張る叩くなどのことをすると殆ど元にもどり、洗濯、アイロンがけ、スチームがけなどで無くなるし、生地が傷むことは殆どない。
指抑え部１０は、全周に渡って略１０ｍｍ以上とすることにより、布地の皺は殆ど目立たない状態とでき、皺隠しとしても機能する。
表側体布地係止部５に嵌った内側体２２は、該５内に全体が凹み収納された形態となる厚さであり、内側体２２および表側体２１が直接肌に触れない、触れ難い構造となっている。
ネックストラップ１２は、保持した携帯電話Bを上下に自由自在に移動でき、好みの位置に係留でき、微妙な位置調節が行えるものである。
表側体とフック面ファスナは一体成形により一体的に形成するのが、低コストなものができる。
また表側体と内側体を適当な長さの連結帯びにより繋いだ形態を、一体成形により一体的に成形するのもよい。連結体の長さは略２５ｍｍ〜略７０ｍｍ程度がよく、その中央は折れ曲がるようにヒンジ形態とするのがよい。
（発明を実施するための異なる形態）
【００１１】
次に、本発明を実施するための異なる形態について説明する。なお、これら本発明を実施するための異なる形態の説明に当たって、本発明を実施するための最良の第１の実施の形態と同一構成部分には同一符号を付して重複する説明を省略する。
【００１２】
＜第２の実施の形態＞
図４に示す本発明を実施するための最良の第２の実施の形態において前記第１の実施の形態と主に異なる点は、表側体本体２１の指抑え部１０に紐通し穴２８を設け、内側体２２の内側部位２９に紐通し穴３０を設け、紐通し穴２８と紐通し穴３０に連結紐３１を通して繋ぎ、抜けないように結び目３２、３３を形成し、連結紐３１に移動自在にクリップ２４を設けてなる携帯品振れ止め保持具３４を形成した点にある。
連結紐３１とクリップ２４とで落下防止手段３５を形成している。
クリップに変えて、ボタン掛けリング、安全ピンなどにするのもよい。
【００１３】
＜第３の実施の形態＞
図５に示す本発明を実施するための最良の第３の実施の形態において前記第１の実施の形態と主に異なる点は、表側体の形態を指抑え部をフック面ファスナ３の左右に突出した指抑え部３８、３９とした、正面全体形状が楕円形の表側体本体４０としてなる表側体３７とし、指抑え部３８、３９がフック面ファスナ３のベース部位４１と略同じ位置にしてなる携帯品振れ止め保持具４２形成した点にある。
指抑え部３８、３９の厚さは、全体が突出の無い背面が平らな形態となるように、表側体布地係止部５面と同じ面となるようにするのもよい。
【００１４】
＜第４の実施の形態＞
図６に示す本発明を実施するための最良の第４の実施の形態において前記第１の実施の形態と主に異なる点は、フック面ファスナ３と表側体布地係止部５の間に他の部材（ここではアルミニューム製）からなる化粧プレート４５を設けてなる表側体４６を形成してなる携帯品振れ止め保持具４７を形成した点にある。
図６では、化粧プレート４５の中央に穴５０をあけ、表側体布地係止部５の中央にも穴５１をあけ、フック面ファスナ３のベース部４１の中央背部に突出したコブ付連結軸４９を、穴５０、穴５１に貫通させて一体化して表側体４６を形成している。これに限らず例えば、化粧プレート４５に表側体布地係止部５とフック面ファスナ３を接着剤にて接着固定して形成するのもよい。
ベース部４１と表側体布地係止部５とで表側体本体４８を形成している。
内側体２２を使用する。
【００１５】
＜第５の実施の形態＞
図７に示す本発明を実施するための最良の第５の実施の形態において前記第１の実施の形態と主に異なる点は、フック面ファスナに変えて携帯品着脱保持部をフック５３とした携帯品振れ止め保持具５４を形成した点にある。
携帯電話の裏側にフック掛けを設けて使用する。フックに変えて携帯電話機を収納するケース、底抜けケース、枠などもよい。
【００１６】
＜第６の実施の形態＞
図８に示す本発明を実施するための最良の第６の実施の形態において前記第１の実施の形態と主に異なる点は、表側体布地係止部を布製部材からなる表側体布地係止部５７とした表側体５８を形成してなる携帯品振れ止め保持具５９を形成失点にある。
着衣への装着は、表側体布地係止部５７と布地Aを重ねたまま内側体２２の溝６０に輪ゴム６１で括るようにして装着する。
【００１７】
＜第７の実施の形態＞
図９に示す本発明を実施するための最良の第７の実施の形態において前記第１の実施の形態と主に異なる点は、内側体を磁石６４を設けてなる内側体６５とし、表側体を鉄板６８を背面側に設けてなる表側体６６とし、磁着により布地Aを挟持し一体化を実現する携帯品の振れ止め保持具６７を形成した点にある。
【００１８】
＜第８の実施の形態＞
図１０に示す本発明を実施するための最良の第８の実施の形態において前記第１の実施の形態と主に異なる点は、表側体を横幅略７０ｍｍ〜略１００ｍｍで縦幅略４０ｍｍの横長長方形の表側体７１とし、フック面ファスナ３を上下略幅１０ｍｍ〜２０ｍｍとしてなる携帯品振れ止め保持具７２を形成した点にある。
内側体２２を使用する。
【００１９】
＜第９の実施の形態＞
図１１、図１２、図１３に示す本発明を実施するための最良の第９の実施の形態において８０は携帯品振れ止め保持具であって、
この携帯品振れ止め保持具８０は、
着衣の布地Aの表側に位置されるプレート形態の表側体本体８１と、
この表側体本体８１の左右中央に該８１と射出成形により一体的に形成設けられた携帯電話Bなどの携帯品を着脱自在に保持するための携帯品着脱保持部であるフック面ファスナ８２と、
表側体本体８１の左右にフック面ファスナ８２に保持した携帯電話Bが間に入るように離して設けた貫通穴形態の表側体布地左側係止部８３、表側体布地右側係止部８４と、以上のごとく構成されてなる表側体８５と、
布地の内側に位置されるプレート形態の全体が柔軟ポリエチレン樹脂製部材や柔軟ポリプロピレン製樹脂部材などからなる内側体本体８６と、
この内側体本体８６に設けられた、表側体布地左側係止部８３と着衣の布地Aを挟みつけるなどの係わり形態によって、着衣の布地A上に内側体本体８６と表側体８５を一体的に保持する内側体布地左側係止部８７と、表側体布地右側係止部８４と着衣の布地Aを挟みつけるなどの係わり形態によって、着衣の布地上に内側体本体８６と表側体８５を一体的に保持する内側体布地右側係止部８８と、以上のごとく構成されてなる内側体８９と、とからなっている。
内側体布地左側係止部８７と内側体布地右側係止部８８は、表側体布地左側係止部８３、表側体布地右側係止部８４より小径の支柱部９１と、この支柱部９１の上部に表側体布地左側係止部８３、表側体布地右側係止部８４より大径のフランジ９０が形成された形態となっている。
フランジ９０は厚み０．５ｍｍ〜１．５ｍｍ程度で、表側体布地左側係止部８３、表側体布地右側係止部８４を通すときには容易に変形して通る形態となっている。
【００２０】
＜第１０の実施の形態＞
図１４、図１５に示す本発明を実施するための最良の第１０の実施の形態において前記第９の実施の形態と主に異なる点は、
表側体布地左側係止部および表側体布地右側係止部の形態を開口部９４の前部に、開口部９４より内径が大径の中空の突出部９５、９６を設けてなる表側体布地左側係止部９７、表側体布地右側係止部９８を形成してなる携帯品振れ止め保持具９９を形成した点にある。
携帯電話機Bは突出部９５、９６の間に位置され、突出部９５、９６間に確実に保持されるようになっている。
【００２１】
＜第１１の実施の形態＞
図１６に示す本発明を実施するための最良の第１１の実施の形態において前記第１０の実施の形態と主に異なる点は、
内側体の構成を、布地Aの内側に位置される左内側体本体１０１、布地の内側に位置される右内側体本体１０２と、左内側体本体１０１に設けられた、表側体布地左側係止部９５と着衣の布地を挟みつけるなどの係わり形態によって、着衣の布地A上に左内側体本体１０２と表側体８５を一体的に保持する内側体布地左側係止部１０３、右内側体本体１０２に設けられた、表側体布地右側係止部９６と着衣の布地を挟みつけるなどの係わり形態によって、着衣の布地A上に右内側体本体１０２と表側体８５を一体的に保持する内側体布地右側係止部１０４とからなる内側体１０５としてなる携帯品振れ止め保持具１０６を形成した点にある。
【産業上の利用可能性】
【００２２】
本発明は携帯電話などの携行具を製造する産業で利用される。
【図面の簡単な説明】
【００２３】
【図１】本発明を実施するための最良の第１の実施の形態を示す表側体の正面図および中央縦断面図、内側体の正面図および中央縦断面図。
【図２】本発明を実施するための最良の第１の実施の形態を示す着衣への装着状態断面図および携帯電話を係止しようとしている図。
【図３】本発明を実施するための最良の第１の実施の形態の使用状態例図。
【図４】本発明を実施するための最良の第２の実施の形態を示す図。
【図５】本発明を実施するための最良の第３の実施の形態を示す表側体の正面図および中央縦断面図、内側体の正面図および中央縦断面図。
【図６】本発明を実施するための最良の第４の実施の形態の表側体の正面図、背面図および中央縦断面図。
【図７】本発明を実施するための最良の第５の実施の形態の組立分解中央断面図、布地に装着した状態断面図および表体の縮小正面図。
【図８】本発明を実施するための最良の第６実施の形態の組立分解中央断面図および布地に装着した状態断面図。
【図９】本発明を実施するための最良の第７実施の形態の布地に装着した状態断面図。
【図１０】本発明を実施するための最良の第８実施の形態の表側体の正面図および中央縦断面図。
【図１１】本発明を実施するための最良の第９の実施の形態を示す表側体の正面図および中央縦断面図、内側体の正面図および底面図。
【図１２】本発明を実施するための最良の第９実施の形態の布地に装着した状態の部分断面図。
【図１３】本発明を実施するための最良の第９の実施の形態の使用状態例図。
【図１４】本発明を実施するための最良の第１０の実施の形態を示す表側体の正面図および中央縦断面図、内側体の正面図および中央縦断面図。
【図１５】本発明を実施するための最良の第１０実施の形態の布地に装着した状態の部分断面図。
【図１６】本発明を実施するための最良の第１１の実施の形態を示す内側体の正面図、底面図および布地に装着した状態の部分断面図。
【符号の説明】
【００２４】
A：着衣の布地、
B：携帯電話機、
１：携帯品振れ止め保持具、
２：表側体本体、
３：フック面ファスナ、
４：凸部、
５：表側体布地係止部、
６：内側体本体、
７：溝、
８：内側体布地係止部、
９：指掛口、
１０：指抑え部、
１１：ループ面ファスナ、
１２：ネックストラップ、
１３：移動係留体、
１４：携帯品保持プレート、
１５：開閉環、
１６：携帯品取付け細紐、
１７：吊り紐、
１８：吊り紐終端取付部、
１９：首掛け部、
２０：フック面ファスナ、
２１：表側体、
２２：内側体、
２３：紐、
２４：クリップ、
２５：落下防止手段、
２６：紐取付け穴、
２８：紐通し穴２８、
２９：内側部位、
３０：紐通し穴、
３１：連結紐、
３２：結び目、
３３：結び目、
３４：携帯品振れ止め保持具、
３５：落下防止手段、
３８：指抑え部、
３９：指抑え部、
４０：表側体本体、
４１：ベース部位、
４２：携帯品振れ止め保持具、
４５：化粧プレート、
４６：表側体、
４７：携帯品振れ止め保持具、
４８：表側体本体、
４９：コブ付連結軸、
５０：穴、
５１：穴、
５３：フック、
５４：携帯品振れ止め保持具、
５７：表側体布地係止部、
５８：表側体、
５９：携帯品振れ止め保持具、
６０：溝、
６１：輪ゴム、
６４：磁石、
６５：内側体、
６６：表側体、
６７：携帯品の振れ止め保持具、
６８：鉄板、
７１：表側体、
７２：携帯品振れ止め保持具、
７３：指抑え部、
７４：指抑え部、
８０：携帯品振れ止め保持具、
８１：表側体本体、
８２：フック面ファスナ、
８３：表側体布地左側係止部、
８４：表側体布地右側係止部、
８５：表側体、
８６：内側体本体、
８７：内側体布地左側係止部、
８８：内側体布地右側係止部、
８９：内側体、
９０：フランジ、
９１：支柱、
９４：開口部、
９５：突出部、
９６：突出部、
９７：表側体布地左側係止部、
９８：表側体布地右側係止部、
９９：携帯品振れ止め保持具、
１０１：左内側体本体、
１０２：右内側体本体、
１０３：内側体布地左側係止部、
１０４：内側体布地右側係止部、
１０５：内側体、
１０６：携帯品振れ止め保持具。
【図１】
2008017893.tif 000003
【図２】
2008017893.tif 000004
【図３】
2008017893.tif 000005
【図４】
2008017893.tif 000006
【図５】
2008017893.tif 000007
【図６】
2008017893.tif 000008
【図７】
2008017893.tif 000009
【図８】
2008017893.tif 000010
【図９】
2008017893.tif 000011
【図１０】
2008017893.tif 000012
【図１１】
2008017893.tif 000013
【図１２】
2008017893.tif 000014
【図１３】
2008017893.tif 000015
【図１４】
2008017893.tif 000016
【図１５】
2008017893.tif 000017
【図１６】
2008017893.tif 000018